Podtech/llm-jp-corpus-v4-ja_patent huggingface dataset:
(57)【要約】     【課題】  白蟻の食害によって発生した蟻道の存在を、外部から、簡単かつ非破壊で検査する。    【解決手段】  白蟻による食害を受けると蟻道２ができ、この蟻道には糞や食べかすなどの廃棄物が付着していて、この廃棄物は吸水性で、かなりの水分を含んでいる。そこで、被検査材１の側面に、高周波水分計３の接触片４を宛てがい、被検査材１の内部、深度４０〜６０ｍｍ程度までの含水率を測定する。この測定含水率値と、予じめ測っておいた正常な部材の含水率値とを比べ、異常に高ければ、その測定箇所の内部に蟻道２が存在すると判定する。【選択図】  図１
2005168362.tif 000002
【特許請求の範囲】
【請求項１】
被検査材に高周波水分計を宛がい、被検査材の内部の含水率を測定し、この測定値が、予じめ測っておいた正常な部材の測定値に比べて、異常に高い時に、被検査材の内部に蟻道が存在すると判定する、白蟻の蟻道検査方法。
【請求項２】
被検査材の外表面に、携帯式の高周波木材水分計の接触片を宛がい、被検査材の内部の少なくとも深度４０ｍｍまでの範囲の含水率を測定する、請求項１記載の白蟻の蟻道検査方法。
【発明の詳細な説明】
【技術分野】
【０００１】
本発明は、木造建築物などに於いて、白蟻による被害を、外部から非破壊で、かつ簡単に見つけるための蟻道検査方法に関する。
【背景技術】
【０００２】
従来から、白蟻による被害の存否を、非破壊で検査する方式は、幾つか提案されている。例えば、超音波を照射して、蟻道の存否を検査するようにしたもの（特許文献１、特許文献２）や白蟻の食害時の弾性波をセンサで検出するようにしたもの（特許文献３）などが提案されている。
【０００３】
【特許文献１】特開２００２−１８６３９６号公報
【特許文献２】特開平  ８−１９６１８３号公報
【特許文献３】特開平１１−  ８９５００号公報
【発明の開示】
【発明が解決しようとする課題】
【０００４】
ところが、前記従来の検査方法は、いずれも装置が大掛りで、装置の据付け設置が必要である。即ち、超音波利用方式では、発信部と受信部とで、木材を挟むように設ける必要があり、また、食害時の弾性波を利用する方式では、木ネジなどの金属片を木材に埋め込むことが必要となる。
【０００５】
本発明は、このような点に鑑み、使用器材が小形、軽量で、片手でも取扱いが可能であり、かつ、検査は、木材各所に宛うだけで、その木材の内部に蟻道が存在するか、否かの判別が簡単にできる、白蟻の蟻道検査方法を提供することにある。
【課題を解決するための手段】
【０００６】
本発明の白蟻の蟻道検査方法の技術的手段は、被検査材に高周波水分計を宛がい、被検査材の内部の含水率を測定し、この測定値が、予じめ測っておいた正常な部材の測定値に比べて、異常に高い時に、被検査材の内部に蟻道が存在すると判定することにある。
【０００７】
また、被検査材の外表面に、携帯式の高周波木材水分計の接触片を宛がい、被検査材の内部の少なくとも深度４０ｍｍまでの範囲の含水率を測定するようにして、検査することも可能である。
【発明の効果】
【０００８】
本発明の蟻道検査方法では、高周波水分計を用いて、木材などの内部に存在する蟻道の存否を、外部から簡単かつ非破壊で検査できるので、白蟻による被害を簡単に知ることができる。また、検査は、白蟻の存否ではなく、蟻道の存否で行うので、実際の被害状況を適確に調べることができる。更に、検査は局所的であるので、蟻道の存在する箇所を正確に判定でき、部分的な解体や修理にも貢献できる。
【０００９】
請求項２のものでは、携帯式の高周波木材水分計を用いて、被検査材の少なくとも深度４０ｍｍまでの内部に存在する蟻道を見つけることができるので、白蟻による被害の存否を外部から簡単に判定でき、実用上、極めて便利である。
【発明を実施するための最良の形態】
【００１０】
本発明の検査方法の実施するための最良の形態を、図面の実施例に基づいて説明する。図中、１は検査対象である被検査材で、その内部には白蟻による食害を受けた蟻道２が形成されている。３は水分計であり、４はその接触片である。水分計３には、高周波式の水分計を用いる。この水分計を用いることにより、接触片４を、被検査材の表面に触れるだけで、被検査材の内部の深度、約４０〜６０ｍｍ程度までの含水率を簡単に計ることができる。なお、実施例では、「高周波木材水分計」（（財）日本住宅・木材技術センター、優良含水率計認定番号、９９−００３）を用いた。これは電池式で、重量も２５０ｇと軽く、携帯可能で、片手での測定が可能である。
【００１１】
木材などが白蟻による食害を受けると、その木材の内部に蟻道２が形成される。そして、蟻道２には、糞や食べかすなどの廃棄物が付着している。また、これらの廃棄物は吸湿性である為、かなりの水分を含んでいる。従って、これを水分計で測定すると、高い含水率値が得られる。この含水率値は、予じめ測っておいた正常な部材の含水率値と比べて、明らかに高い値となるので、この箇所の内部に蟻道が存在することが外部からわかるのである。なお、高周波水分計では、深度が通常、４０〜６０ｍｍ程度まで測定可能であるので、木材の内部、少なくとも深度４０ｍｍまでに存在する蟻道を外部から簡単に見つけることができる。白蟻の蟻道は木材の内部にあって、外面からは発見できないので、このように内部の検査ができるのは、極めて有益である。また、高周波水分計では、電波の広がりは限られていて、接触片による接触位置付近しか検査できないので、局部的な検査が可能で、蟻道の存在箇所を部分的に適確に検出できる。
【実施例１】
【００１２】
既設の住宅について、白蟻被害を検査した。住宅の玄関の上り框（オーク製、厚さ１００ｍｍ）を、外側から高周波水分計で含水率を測定したところ、１箇所で３７％を記録し、他の箇所では４０％を記録した。全体としては、２６〜４５％であった。オーク材の場合、その含水率は通常、１６％程度であるので、測定結果は、異常に高い数値であった。そこで、上り框を取外したところ、框の裏面に、びっしりと蟻道痕が張り付いていた。更に、その奥の受根太が著しい食害を被っていた。
【実施例２】
【００１３】
床断熱材（ポリエチレン発泡材製、厚さ２０ｍｍ）について、検査した。測定含水率値は２０％であった。ポリエチレン発泡材は水分をふくまないので、その含水率は０％である筈であり、今回の測定値は異常である。そこで、この床断熱材を取外したところ、裏面は白蟻の食害を受けていて、蟻道成分が張付いていた。
【００１４】
本発明は、前記の実施例に限定されるものではなく、特許請求の範囲の記載の範囲内で自由に変形実施可能である。特に、高周波水分計の種類は自由であり、また、検査対象については白蟻が付くもの全てに及ぶ。
【図面の簡単な説明】
【００１５】
【図１】本発明の検査状況を示す断面図。
【符号の説明】
【００１６】
１        被検査材
２        蟻道
３        高周波水分計
４        接触片
【図１】
2005168362.tif 000003
(57)【要約】【課題】  餌を付けたり、掛かった魚を外すときに針身が回転しないようにして、操作がやり易く、餌や魚を傷付けない釣針を提供する。【解決手段】  針身の上部に手で摘むことができる針身より幅広で偏平な摘みを設けたことを特徴とする釣針。【選択図】  図１
2005168375.tif 000002
【特許請求の範囲】
【請求項１】
針身の上部に手で摘むことができる針身より幅広で偏平な摘みを設けたことを特徴とする釣針。
【請求項２】
摘みが針身を含む平面内に張出される請求項１の釣針
【請求項３】
摘みに釣糸を通す通し孔を形成した請求項１又は２の釣針。
【請求項４】
摘みが色付きのものである請求項１〜３いずれかの釣針。
【請求項５】
疑似餌が付設される請求項１〜４いずれかの釣針。
【請求項６】
摘みを偏平なものに代えて太径の握りとした請求項１の釣針。
【発明の詳細な説明】
【技術分野】
【０００１】
本発明は、魚を釣る釣針に関するものである。
【背景技術】
【０００２】
釣針は、餌を付けたり、掛かった魚を外すときには、これを手（指）で持って固定しなければならない。ところが、釣針は、一般に細い鋼線で構成されているから、指で摘んでいても、その中で回ったりして固定し難い。特に、小型魚を釣る釣針は、釣針自体も小さくて針身も細いから、この傾向が強い。加えて、あまり手先が器用ではない女子や子供は、こういった操作が苦手であるから、掛かった魚を外すときに、魚や指を傷付けることがある。
【０００３】
これを解決するには、針身に摘みを設けることであるが、特許文献１にも見られるように、結んだ釣糸（テグス）の抜止めを果たす、所謂、釣糸括部を針身よりも幅広にしたものは存在するが、この釣糸括部は、小さくて摘みにはならない。
【特許文献１】特開平１１−３４６５９９号公報
【発明の開示】
【発明が解決しようとする課題】
【０００４】
本発明が解決しようとする課題は、針身に摘みを設けることで、釣針の固定し難さを解消したものであり、これにおいて、摘みを摘み易い形状にするとともに、魚の食いに影響を及ぼさないようにしたものである。
【課題を解決するための手段】
【０００５】
以上の課題の下、本発明は、請求項１に記載した、針身の上部に手で摘むことができる針身より幅広で偏平な摘みを設けるとともに、これにおいて、請求項２の、摘みが針身を含む平面内に張出される手段、請求項３の、摘みに釣糸を通す孔を形成した手段、請求項４の、摘みが色付きのものである手段、請求項５の、疑似餌が付設される手段、さらに、請求項６の、摘みを偏平なものに代えて太径の握りにした手段を提供したものである。
【発明の効果】
【０００６】
本発明によると、摘みは、手で摘むことができる針身よりも幅広で偏平なものであるから、摘み易く、かつ、摘んだときには十分な固定力を発揮できる。加えて、摘みは、針身の上部に設けられるものであるから、安全であるし、魚の食いにも影響を及ぼさない。
【発明を実施するための最良の形態】
【０００７】
以下、本発明を実施するための最良の形態について説明する。図１は本発明に係る釣針の側面図、図２は正面図であるが、釣針は、周知のように、鋼線等を用いて針身１をＵ字形に曲げたものであり、小型のものでは、基部（上部）から径太になった釣糸括部２、胴部３、腰部４、先端部５（５ａは返し）が形成されているものである。
【０００８】
本発明では、胴部３の上部で、釣糸括部２の下方に幅広の摘み６を形成するのである。この摘み６は、ここを指で摘むことで、餌付け時や外し時に針身１が回転するのを抑制するもので、そのためには、幅広の方向は針身１を含む平面内に張出していることが回転抑止効果が高い。なお、この摘み６は、針身１の成形時に形成するのが通常であるが、別途製作しておいて後付けしてもよい。
【０００９】
摘み６の幅広の程度やこれが形成される高さの程度は、釣針の大きさにもよるが、渓流に棲むヤマメや寒バエあるいはママカリといった小型の魚を釣る釣針では、幅が５ｍｍ以上で、高さも７〜１２ｍｍ程度が適する。また、それより大きく、５０ｃｍ以下の魚では、高さが２０〜２５ｍｍ程度が適する。さらに、５０ｃｍ以上の大型の魚では、それよりも大きくしてもよい。なお、幅については、５ｍｍ以上あれば十分であるが、大きくなるほど、幅を広くしてもよい。
【００１０】
図３は本発明の他の例を示す釣針の側面図であるが、大型の魚を釣る釣針では、摘み６に釣糸７を通す通し孔８を形成すればよく、こうすると、通し孔８の大きさを十分なものにできる。また、摘み６を偏平なものに代えて太径の握りとしてもよい。図４も他の例を示す釣針の側面図であるが、タイやチヌといった中型で食いの強い魚では、これに疑似餌９を付けてもよい。
【００１１】
図５は更に大型のマグロ、ブリ、カンパチといった魚を釣る釣針であるが、こういった釣針は大型になるから、摘み６は握りにするのが適する。また、これにも疑似餌９を取り付けるのが一般的である。一方、特に摘み６の部分を各種の色で着色してもよく、こうすると、水中で光って（魚の注意を惹いて）疑似餌の代わりにもなる。
【００１２】
以上の釣針によれば、摘み６を指で摘むと、針身１が回転するのを抑制するから、餌を付けるときや掛かった魚を外すときに、その操作が容易であるとともに、餌あるいは魚を傷付けることがない。この点で、特に、女子や子供にとって扱い易いものとなる。また、摘み６は、先端部５から離れた針身１の上部に形成されるものであるから、釣果を落とすこともない。
【図面の簡単な説明】
【００１３】
【図１】本発明の一例を示す釣針の側面図である。
【図２】本発明の一例を示す釣針の正面図である。
【図３】本発明の他の一例を示す釣針の側面図である。
【図４】本発明の他の一例を示す釣針の側面図である。
【図５】本発明の他の一例を示す釣針の側面図である。
【符号の説明】
【００１４】
１  針身
２  釣糸括部
３  胴部
４  腰部
５  先端部
５ａ返し
６  摘み
７  釣糸
８  通し孔
９  疑似餌
【図１】
2005168375.tif 000003
【図２】
2005168375.tif 000004
【図３】
2005168375.tif 000005
【図４】
2005168375.tif 000006
【図５】
2005168375.tif 000007
(57)【要約】【課題】ペット等の散歩等に用いる引き紐等のみでは手等から離れたときペット等の逃亡あるいは事故等を引き起こすことが少なからずあった。【解決手段】ペット等の引き紐（リード）等と手などに簡単に取り付けられ、引き紐等が手等から外れても事故等を防ぐため補助する器具である。従来の引き紐等Ａに補助具Ｂを取り付ける。補助具Ｂの中央の形状は例えば伸縮性のあるらせん状である。補助具中央はらせん状に巻かれた形状を有し伸縮して邪魔にならないことを特徴とする。【選択図】図１
2005168376.tif 000002
【特許請求の範囲】
【請求項１】
ペット等の引き紐（リード）等と手などに簡単に取り付けられ、引き紐等が手等から外れても事故等を防ぐため補助する器具。
【請求項２】
前記補助具中央はらせん状に巻かれた形状を有し伸縮して邪魔にならないことを特徴とする請求項１記載の引き紐補助具。
【発明の詳細な説明】
【技術分野】
【０００１】
この発明は、ペット等の散歩等に牽引するときの引き紐等の補助に関する。
【背景技術】
【０００２】
従来からの引き紐等はただ手に持つだけのものである。
【発明の開示】
【発明が解決しようとする課題】
【０００３】
しかしながら、以上のものであれば、何らかの原因により手から紐がはなれ、ペット等が事故等に遭遇したりあるいは逃げるなどすることがあった。
そこで、この発明は、その引き紐が手から離れても事故等をふせぐことを提供することを課題とする。
【課題を解決するための手段】
【０００４】
以上の課題を解決するために、第一発明は、従来の引き紐等に取り付けることを特徴とする補助具である。
また、第二発明は、補助具が簡便に取り付けられなおかつ歩行等を妨げない形状であることを特徴とする補助具である。
【発明の効果】
【０００５】
第一発明、または第二発明によって引き紐に伸縮性のある補助具を取り付けることによって通常の行動を妨げないでペット等の逃亡、事故等を防ぐことになる。
【発明を実施するための最良の形態】
【０００６】
この発明の一実施形態を、図１に示す。
引き紐Ａの持ち手A-1に補助具Ｂの取り付け部分B-1を取り付ける。この補助具Ｂの中央B-2は伸縮性のある物質をらせん状に巻いている。そしてその先の手等に取り付ける部分B-3からなっている。
【０００７】
「実施形態の効果」
この実施形態によれば、中央のらせん部分B-2の伸縮性によって持ち手A-1が手等から離れた場合、手等との取り付け部分B-3が、手等に掛かる勢いを和らげなおかつペット等の逃亡、事故を防ぐ。通常時は余裕ができ邪魔にならない。
【０００８】
「他の実施形態」
図１の実施形態では、中央部B-2はらせん状であったが他の実施形態では、伸縮性があり軽量と感じない形状であれば良い。
【図面の簡単な説明】
【０００９】
【図１】この発明の一実施形態を示す斜視図である。
【図２】従来技術を示す斜視図である。
【符号の説明】
【００１０】
Ａ  従来の引き紐      A−1  従来の引き紐の持ち手
Ｂ  補助具      B-1  持ち手への取り付け部分    B-2  中央らせん部分
B-3  手等との取り付け部分
【図１】
2005168376.tif 000003
【図２】
2005168376.tif 000004
(57)【要約】【課題】今までの投げ釣り用おもりでは餌が海底を引きずっていたが本発明により餌を水中に浮かせる事を可能とする。【解決手段】おもり１を三日月形等にする事により常に天秤棒２，３が垂直で上向きに自立し天秤棒３の方向に本発明品を引っ張った際、天秤棒２に付けられた餌が水中に浮く事になる。本発明品を海底に放置した際においても潮流により餌が水中に浮く事になる。またおもり１に４の様な、こませカゴを付ける事により本発明品を引っ張る事で撒き餌も出来、さらに釣果を高める事もできる。【選択図】図１
2005168313.tif 000002
【特許請求の範囲】
【請求項１】
本発明品が海底に着底した際、及び海底を引きずった際においても1のおもりにより2及び3の天秤棒がつねに垂直に上を向く事を特徴とする投げ釣り用おもりの発明である。
【発明の詳細な説明】
【技術分野】
【０００１】
本発明は、釣果を上げるため海底において常に天秤棒2、3が垂直に上を向く投げ釣り用おもりに関するものである。
【背景技術】
【０００２】
今までの投げ釣り用おもりでは釣り餌が海底を引きづっていた。
【発明の開示】
【発明が解決しようとする課題】
【０００３】
解決しようとする問題点は、今までの投げ釣り用おもりでは釣り餌が海底を引きずるという点である。
【課題を解決するための手段】
【０００４】
本発明はおもり1を三日月形にする事により天秤棒2、3を垂直で上向きに自立させ図１にしめす様に天秤棒２に付けた餌を水中に浮かせる事を可能とした。
【発明の効果】
【０００５】
本発明の投げ釣り用おもりは、図１にしめすように垂直で上向きに自立した天秤棒2に餌のついた仕掛けをつけ天秤棒3に結んだテグスを引っ張る事により餌を適度な振動と共に水中に浮かせ魚の好奇心をあおり釣果を高めるという利点がある。また海底に放置している際にも潮流により天秤棒２に付いた餌は水中に浮き、揺れる為釣果を高める事ができる。
【発明を実施するための最良の形態】
【０００６】
本発明はおもり１の上に円柱の筒5をのせる事によりさらに自立を維持させる効果をたかめることが出来る。さらに円柱の筒5を図１の４の様に、こませカゴにすれば寄せ餌をまくことも出来さらに釣果を高める事が出来る。また天秤棒３は中折れにし図３に示すような角度を付ける事によって本発明品をスムーズに引き寄せる事ができる。天秤棒２，３は図３にしめす様な角度でおもり１に固定する。以上により図１にしめす様に天秤棒３の方向に本発明品を引っ張る事、及び放置した際にも潮流で天秤棒２に付けた餌が水中に浮かぶ事になる。
【図面の簡単な説明】
【０００７】
【図１】本発明の実施方法を示した斜視図である。
【図２】本発明の斜視図である。
【図３】本発明の他の考案をしめした正面図。
【図４】図３をa,b間で切断した際の断面図である。
【符号の説明】
【０００８】
１    おもり
２    天秤棒
３    天秤棒
４    こませカゴ
５    円柱の筒
【図１】
2005168313.tif 000003
【図２】
2005168313.tif 000004
【図３】
2005168313.tif 000005
【図４】
2005168313.tif 000006
(57)【要約】【課題】本発明は、端子ピンの引出し電極を径方向と交差させることにより、端子ピン保持部の突出量を小さくすることを目的とする。【解決手段】本発明によるレゾルバ絶縁カバー構造は、端子ピン保持部(8)に設けられた複数の端子ピン(9)の各引出し電極の長手方向は、前記径方向(7)とは交差する方向に設定され、端子ピン保持部(8)の突出量を抑えた構成である。【選択図】図１
2005168164.tif 000002
【特許請求の範囲】
【請求項１】
輪状ステータ鉄心(2)の端面(3)に設けられ、径方向(7)に突出する端子ピン保持部(8)を一体に有する輪状絶縁カバー(1)からなるレゾルバ絶縁カバー構造において、
前記端子ピン保持部(8)に設けられた複数の端子ピン(9)の各引出し電極(10)の長手方向は前記径方向(7)とは交差する方向に設定されていることを特徴とするレゾルバ絶縁カバー構造。
【請求項２】
前記長手方向は、前記端子ピン保持部(8)が設けられた位置における前記輪状絶縁カバー(1)の外周面(6)の外周面方向(6a)に沿っていることを特徴とする請求項１記載のレゾルバ絶縁カバー構造。
【請求項３】
前記各端子ピン(9)は、前記端子ピン保持部(8)の中心線(7a)から左右対称位置に配設され、前記各引出し電極(10)の長手方向は互いに並列配置されていることを特徴とする請求項１又は２記載のレゾルバ絶縁カバー構造。
【発明の詳細な説明】
【技術分野】
【０００１】
本発明は、レゾルバ絶縁カバー構造に関し、特に、ステータ巻線を巻付ける各端子ピンの引出し電極を径方向と交差させて並列配置することにより、各端子ピンを保持する端子ピン保持部の径方向の突出量を小さくし、装置への取付の利便性を向上させるための新規な改良に関する。
【背景技術】
【０００２】
従来、用いられていたこの種のレゾルバ絶縁カバー構造としては、例えば、特許文献１の図６に開示された構成と同様の構成を図２に示すことができる。
すなわち、図２において符号１で示されるものは輪状ステータ鉄心２の端面３に設けられる輪状絶縁カバーであり、この輪状絶縁カバー１の内面側には、前記輪状ステータ鉄心２の各スロット４に合わせてスロット形状部５が形成されている。
【０００３】
前記輪状絶縁カバー１の外周面６の一部には、前記輪状ステータ鉄心２及び輪状絶縁カバー１の径方向７に沿って突出する形状からなる端子ピン保持部８が形成されている。
【０００４】
前記端子ピン保持部８には、複数の端子ピン９がインサート成形又は挿入によって設けられ、各端子ピン９の引出し電極１０の長手方向は、前記端子ピン保持部８の中心位置の径方向７に対して並列となるように配設されている。
従って、図示しないステータ巻線の端線は、端子ピン９に巻付けられ、引出し電極を介して外部に導出される。
【０００５】
【特許文献１】米国特許第６０２８３８３号明細書
【発明の開示】
【発明が解決しようとする課題】
【０００６】
従来のレゾルバ絶縁カバー構造は、以上のように構成されていたため、次のような課題が存在していた。
すなわち、端子ピン保持部に設けられた各端子ピンの引出し電極の長手方向が、その中心位置の径方向と並列配置であるため、この端子ピン保持部の径方向に沿う突出量を抑えることが難しく、各種装置及び機器に組み込む場合の障害となることがあり、小型化が切望されていた。
【課題を解決するための手段】
【０００７】
本発明によるレゾルバ絶縁カバー構造は、輪状ステータ鉄心の端面に設けられ、径方向に突出する端子ピン保持部を一体に有する輪状絶縁カバーからなるレゾルバ絶縁カバー構造において、前記端子ピン保持部に設けられた複数の端子ピンの各引出し電極の長手方向は、前記径方向とは交差する方向に設定されている構成であり、また、前記長手方向は、前記端子ピン保持部が設けられた位置における前記輪状絶縁カバーの外周面の外周面方向に沿っている構成であり、また、前記各端子ピンは、前記端子ピン保持部の中心線から左右対称位置に配設され、前記各引出し電極の長手方向は互いに並列配置されている構成である。
【発明の効果】
【０００８】
本発明によるレゾルバ絶縁カバー構造は以上のように構成されているため、次のような効果を得ることができる。
すなわち、端子ピン保持部に設けられた各端子ピンの引出し電極の長手方向を、径方向と交差させて配置し、かつ輪状絶縁カバーの外周面の外周面方向に沿って配設されているため、端子ピン保持部の径方向に沿う突出量を従来よりも大幅に小さくし、形状が小型化されているため、装置や機器への装置が大幅に容易化される。
【発明を実施するための最良の形態】
【０００９】
本発明は、端子ピン保持部における各端子ピンの引出し電極の長手方向を径方向と交差させることにより、端子ピン保持部の突出量を抑え、小型化することを目的とする。
【実施例】
【００１０】
以下、図面と共に本発明によるレゾルバ絶縁カバー構造の好適な実施の形態について説明する。尚、従来例と同一又は同等部分については同一符号を用いて説明する。
図１において符号１で示されるものは輪状ステータ鉄心２の端面３に設けられる輪状絶縁カバーであり、この輪状絶縁カバー１の内面側には、前記輪状ステータ鉄心２の各スロット４に合わせてスロット形状部５が形成されている。
【００１１】
前記輪状絶縁カバー１の外周面６の一部には、前記輪状ステータ鉄心２及び輪状絶縁カバー１の径方向７に沿って突出する形状からなる端子ピン保持部８が形成されている。
【００１２】
前記端子ピン保持部８には、複数の端子ピン９がインサート成形又は挿入によって設けられ、各端子ピン９の引出し電極１０の長手方向は、前記端子ピン保持部８の中心位置の径方向７に対して交差するように構成されている。
【００１３】
前記各引出し電極１０の長手方向は、端子ピン保持部８が設けられた位置における前記輪状絶縁カバー１の外周面６の外周方向６ａに沿っており、前記各端子ピン保持部８の中心線７ａから左右対称位置に配設され、各引出し電極１０の長手方向は互いに並列配置されている。
【産業上の利用可能性】
【００１４】
本発明は、レゾルバに限ることなく、プリント基板等にも適用可である。
【図面の簡単な説明】
【００１５】
【図１】本発明によるレゾルバ絶縁カバー構造を示す要部の平面図である。
【図２】従来構成を示す要部の平面図である。
【符号の説明】
【００１６】
１    輪状絶縁カバー
２    輪状ステータ鉄心
３    端面
６    外周面
６ａ    外周面方向
７    径方向
７ａ    中心線
８    端子ピン保持部
９    端子ピン
１０    引出し電極
【図１】
2005168164.tif 000003
【図２】
2005168164.tif 000004
(57)【要約】【課題】本発明は、簡単な構造で容易に加工できるようにすることで、非常用コンセント盤の製造コストを抑え低価格にて提供することを目的とする。【解決手段】コンセントプラグから延びるコードがコンセント４につなげられたままであると、誤って引っ張ったり、コードの自重でコンセントプラグがコンセント４から抜け落ちる虞があるため、本発明に係る非常コンセント盤は、コードを引っ掛けられる引っ掛け部７を配線覆い３に形成する。【選択図】図１
2005168185.tif 000002
【特許請求の範囲】
【請求項１】
コンセントが設けられ、火災等非常時に前記コンセントにコンセントプラグが差し込み可能である非常コンセント盤において、該非常コンセント盤の前面を被覆している配線覆いの端部を折曲し、引っ掛け部を形成することを特徴とする非常コンセント盤。
【発明の詳細な説明】
【技術分野】
【０００１】
本発明は、コンセントが設けられ、火災等非常時にコンセントにコンセントプラグが差し込み可能である非常コンセント盤に関するものである。
【背景技術】
【０００２】
非常用コンセント盤２１は、盤にコンセント２２が設けられていて、コンセント２２にコンセントプラグ２３を差し込むことが可能である。従来、コンセントプラグ２３に接続するコード２４を引っ張ったりコード２４の自重でコンセントプラグ２３が抜け落ちないように、図７〜図９に示すように、抜け止めフック２５をコンセント２１の上部に取り付けて、コード２４を支持させていた。
【０００３】
抜け止めフック２５は、配線覆い２６に設けられた固定穴２７に差し込んで、配線覆い２６の裏面よりナット２８で締め付け固定するものである。
【非特許文献１】２００３カワムラカタログ電設資材編  Ｎｏ．３４  平成１５年５月１日改訂
【発明の開示】
【発明が解決しようとする課題】
【０００４】
解決しようとする問題点は、非常コンセント盤のコンセントプラグの抜け止め機構において、抜け止めフックの製作費用と、配線覆いへの取り付け加工費とがかかるため、商品を低価格で提供することができない点である。
【課題を解決するための手段】
【０００５】
本発明は、非常コンセント盤の前面を被覆している配線覆いの端部を折曲し、引っ掛け部を形成することを特徴とする。
【発明の効果】
【０００６】
本発明に係る非常コンセント盤は、コンセントプラグの抜け止めフックを簡略化し、材料を削減すると共に、加工の手間も省き、低価格にて非常コンセント盤を提供することができる。
【発明を実施するための最良の形態】
【０００７】
製造費を低減するという目的を、簡単な構造で製作の手間もかけずに実現した。
【実施例１】
【０００８】
本発明に係る非常コンセント盤の実施例を図１〜図４の添付図面に基づいて説明する。
【０００９】
非常コンセント盤１は前面に開口を有する箱体２に各種機器を収納し、前面を配線覆い３で施蓋して成る。また、火災時の消防活動等に用いるためのコンセント４が設けられ、本発明は、コンセント４に接続されるコンセントプラグ５の抜け止め構造に関するものである。
【００１０】
コンセントプラグ５から延びるコード６がコンセント４につなげられたままであると、誤って引っ張ったり、コード６の自重でコンセントプラグ５がコンセント４から抜け落ちる虞があるため、コード６を引っ掛けられる引っ掛け部７を配線覆い３に形成する。
【００１１】
配線覆い３のコンセント４が設けられている位置の延長線上に上端部に切り込みを入れ、その部分を折曲し、断面略Ｌ字状に引っ掛け部７を形成する。コンセントプラグ５をコンセント４に接続し、コンセントプラグ５から延びるコード６を引っ掛け部７にまわして引っ掛け、誤ってコード６を引っ張ってしまった場合にも、直接コンセントプラグ５に力が加わらないため、コンセントプラグ５の抜け止めとなる。
【００１２】
また、引っ掛け部の形状は上記断面略Ｌ字状に折曲するものに限定されるものではなく、例えば図５〜図６に示すように、配線覆い８の上端部を一部折り曲げ折曲部９を形成し、折曲部９に切り欠き１０を設けたものでもよい。切り欠き１０にコード１１を引っ掛け、誤ってコード１１を引っ張ってしまった場合にも、直接コンセントプラグ１２に力が加わらないため、コンセントプラグ１２の抜け止めとなる。
【産業上の利用可能性】
【００１３】
非常コンセント盤の配線覆いにコードの引っ掛け部を形成することにより、別部品を用いることなくコードを引っ掛けることができ、別部品の製造費と別部品を組み付ける加工費を低減することができる。
【図面の簡単な説明】
【００１４】
【図１】本発明に係る非常コンセント盤を示す正面図である。（実施例１）
【図２】図１における非常コンセント盤の配線覆いの側面図である。（実施例１）
【図３】図１における配線覆いの一部拡大図である。（実施例１）
【図４】図１における非常コンセント盤の使用例である。（実施例１）
【図５】本発明に係る非常コンセント盤の変形実施例を示す斜視図である。（実施例２）
【図６】図５における非常コンセント盤の使用例である。（実施例２）
【図７】従来技術における非常コンセント盤の正面図である。
【図８】図７における非常コンセント盤の配線覆いの斜視図である。
【図９】図７における非常コンセント盤の使用例である。
【符号の説明】
【００１５】
１    非常コンセント盤
２    箱体
３    配線覆い
４    コンセント
５    コンセントプラグ
６    コード
７    引っ掛け部
８    配線覆い
９    折曲部
１０  切り欠き
１１  コード
１２  コンセントプラグ
【図１】
2005168185.tif 000003
【図２】
2005168185.tif 000004
【図３】
2005168185.tif 000005
【図４】
2005168185.tif 000006
【図５】
2005168185.tif 000007
【図６】
2005168185.tif 000008
【図７】
2005168185.tif 000009
【図８】
2005168185.tif 000010
【図９】
2005168185.tif 000011
(57)【要約】【課題】モールドによっても所定の位置に電源入力コネクタを配置が配置されているとともに、これが変形することのない電動機の製造方法を提供することを目的とする。【解決手段】コネクタ外周側面に凸部８を設けるとともに、凸部８を上型１１に設けた凹部に嵌合させた状態でモールドすることとしたものである。さらに、電源入力コネクタ５の凸部８と上型１１の凹部を嵌合させ、電源入力コネクタ端部７と樹脂成形金型（１１、１２）の内周面間に空間９が形成した状態で、モールドすることとしたものである。【選択図】図１   
2005168224.tif 000002
【特許請求の範囲】
【請求項１】
巻線に電源を入力する電源入力コネクタを、巻線を巻装した固定子鉄心とともに一体でモールドする電動機の製造方法において、前記コネクタ外周側面に凸部または凹部を設けるとともに、前記凸部または凹部を樹脂成形金型に設けた凹部または凸部に嵌合させた状態でモールドすることを特徴とする電動機の製造方法。
【請求項２】
電源入力コネクタの凸部または凹部と、樹脂成形金型の凹部または凸部が嵌合させ、前記電源入力コネクタ端部と樹脂成形金型の内周面間に空間が形成した状態でモールドすることを特徴とする請求項１に記載の電動機の製造方法。
【発明の詳細な説明】
【技術分野】
【０００１】
本発明は、固定子外殻を樹脂モールドされた電動機の製造方法に関するものである。
【背景技術】
【０００２】
従来、固定子巻線を巻装した固定子鉄心に回転子を挿通し、固定子巻線と固定子鉄心外周部に回転子を支持する軸受嵌入用ハウジングとフレームを樹脂でモールドした電動機は、エアコン送風用などの用途で使用されている。この固定子鉄心および電源入力コネクタ等を樹脂でモールドするときの例を図２に示す。
【０００３】
図２において、固定子鉄心１に固定子巻線２を巻装し、この巻線端３を、電源入力端子４に巻き付けてハンダ付けするなどの手段にて電気的接続を図る。電源入力端子４と電源入力コネクタ５とは固着されており、さらに電源入力コネクタ５は、固定子鉄心１に仮固定されている。次に、電動機の軸方向に分割された樹脂成形金型（図中において２１を上型、２２を下型とする。）に装着（装着に際して、空間９が形成されるように電源入力コネクタ端部７を上型１１等に装着している。）し、樹脂成形金型内空間部に樹脂を注入し、フレーム６を完成させる（例えば、特許文献１参照。）。
【０００４】
ここで、上記電源入力コネクタ５は樹脂を注入する際の圧力で、フレーム６の径方向へ突出してしまう。
【０００５】
なお、このような突出を防止するために、従来、電源入力コネクタ端部７を樹脂成形金型に当て、電源入力コネクタ５がフレーム６の径方向へ突出しようとすることを防いでいた。
【特許文献１】特開昭５７−６５４６号公報
【発明の開示】
【発明が解決しようとする課題】
【０００６】
上記の通り、電源入力コネクタを上下型により挟み込むだけでは、電源入力コネクタが樹脂成形圧により吐出してしまう。また、これを防止するために採用されている上記方法では、樹脂成形圧により金型内周面に電源入力コネクタ端部が押し付けられ、変形してしまっていた。
【課題を解決するための手段】
【０００７】
本発明は上記従来の課題に鑑みなされたもので、コネクタ外周側面に凸部または凹部（以下、単に凸部または凹部をいう場合、「凸部等」という。）を設けるとともに、前記凸部等を樹脂成形金型に設けた凹部または凸部（以下、単に凹部または凸部をいう場合、「凹部等」という。）に嵌合させた状態でモールドすることとしたものである。さらに、電源入力コネクタの凸部等と樹脂成形金型の凹部等を嵌合させ、前記電源入力コネクタ端部と樹脂成形金型の内周面間に空間が形成した状態で、モールドすることとしたものである。
【０００８】
本発明は、モールドによっても所定の位置に電源入力コネクタを配置が配置されているとともに、これが変形することのない電動機の製造方法を提供することを目的とする。
【発明の効果】
【０００９】
本願の発明によれば、モールド後においても所定の位置に電源入力コネクタを配置することができるとともに、これに際して、電源入力コネクタの変形を防止することもできる
。
【発明を実施するための最良の形態】
【００１０】
本願の請求項１に係る発明は、巻線に電源を入力する電源入力コネクタを、巻線を巻装した固定子鉄心とともに一体でモールドする電動機の製造方法において、前記コネクタ外周側面に凸部等を設けるとともに、前記凸部等を樹脂成形金型に設けた凹部等に嵌合させた状態でモールドすることを特徴とする電動機の製造方法であり、モールド時の樹脂成形圧により、電源入力コネクタに作用する電動機外径方向の力を凸部等で受けることができる。
【００１１】
請求項２に係る発明は、電源入力コネクタの凸部等と、樹脂成形金型の凹部等が嵌合させ、前記電源入力コネクタ端部と樹脂成形金型の内周面間に空間が形成した状態でモールドすることを特徴とする請求項１に記載の電動機の製造方法であり、モールド時の樹脂成形圧により、完全に凸部のみで樹脂成形圧を受けることが可能で、電源入力コネクタが金型内周面に押し付けられることを防止することができる。
【実施例１】
【００１２】
図１は本発明の固定子鉄心、電源入力コネクタを樹脂でモールドするに際しての、金型への装着例を示すものである。
【００１３】
固定子鉄心１に固定子巻線２を巻装し、この巻線端３を電源入力端子４に巻き付けハンダ付け等の手段にて電気的接続が行われるとともに、電源入力端子４と電源入力コネクタ５とが固着されている。また、電源入力コネクタ５は、固定子鉄心１に仮固定されている。
【００１４】
そして、このように構成された固定子鉄心１と電源入力コネクタ５はスラスト方向に分割された樹脂成形金型（図中において１１を上型、１２を下型とする。）に装着し、樹脂成形金型内空間部に樹脂を注入し、フレーム６を完成させる。
【００１５】
ここで、電源入力コネクタ５は、樹脂を注入する際の成形圧力によりフレーム６の径方向へ突出しようとするが、凸部８を上型１１に設けた凹部（図１においては凸部８に一致する上型１１部）に嵌合されているため、電源入力コネクタ５に作用する力を凸部８で受けることとなり、電源入力コネクタ５の移動は生じず、突出によって巻線端３に不要な張力が作用することもない。
【００１６】
また、電源入力コネクタ端部７と上型１１の内周面とが接触することなく、この間に空間９を形成するようにしている。
【００１７】
なお、電源入力コネクタ５および上型１１に設けた凸部８と凹部は互いに勘合する関係であればよいから、電源入力コネクタ５に凹部、上型１１に凸部を設けてもよく、また、下型１２に凹部を設けた構成としてもよい。
【図面の簡単な説明】
【００１８】
【図１】本発明のモールド状態を示す図
【図２】従来のモールド状態を示す図
【符号の説明】
【００１９】
１  固定子鉄心
２  巻線
３  巻線端
４  電源入力端子
５  電源入力コネクタ
６  フレーム
７  電源入力コネクタ端部
８  凸部
９  空間
１１  上型
１２  下型
【図１】
2005168224.tif 000003
【図２】
2005168224.tif 000004
(57)【要約】【課題】従来からある太さが同じロッドでは、毛量の多い根元の健康な毛髪は、パーマネントウェーブが当たりにくく、毛先にいくに伴い強く当たるのが一般的である。そこで円錐型のパーマネント用ロッドが背景技術としてあるが、急な斜度で太さが変わっていくため、特に毛髪の根元部分がだぶつき、巻きつけにくく、ロッドの細い方から毛髪が外れやすいものであった。【解決手段】太さが変わる斜度３を滑らかにし、ロッドの細い方２に一定の同じ太さの部分を設ける。細い方のゴム掛け部分４には、反り返りを作り、毛髪が外れないようにする。【選択図】図１
2005168947.tif 000002
【特許請求の範囲】
【請求項１】
毛髪の根元から毛先まで均一にパーマネントウェーブが当たるよう、ボトルの様な滑らかな斜度でロッドの片方を細くした事を特徴とするボトル型ロッド。
【請求項２】
ロッドの細い方に同じ太さの部分を設け、毛量の多い毛髪の根元を巻きつけ易くし、滑らかな斜度で太くなるため、毛先までだぶつかず巻きつけ易くした事を特徴とする請求項１記載のボトル型ロッド。
【請求項３】
ロッドの細い方のゴム掛け部分に反り返りを設けることにより、巻いた毛髪がロッドから外れにくい事を特徴とする請求項２記載のボトル型ロッド。
【発明の詳細な説明】
【技術分野】
【０００１】
この発明は、パーマネントウェーブに用いるパーマ用ロッドの形状に関する。
【背景技術】
【０００２】
従来ある片方が細くなったパーマネント用ロッドの形状は、図２に示すように円錐状になっており、ロッドの細い方２に同じ太さの部分はなく、太さが変わる斜度３も急で、細い方のゴム掛け部分４にも反り返りの部分はないものである。
【発明の開示】
【発明が解決しようとする課題】
【０００３】
しかしながら、以上の技術によれば、円錐状のため同じ太さの部分はなく、急斜度のため毛髪がだぶついて巻きつけにくく、ロッドの細い方は巻いた毛髪が外れ易いものであった。
そこで、この発明は、毛髪がだぶつかず巻きつけ易く、ロッドの細い方に巻かれた毛髪も外れにくく、毛髪の根元から毛先まで均一なパーマネントウェーブを当てやすくするためのパーマ用ロッドを提供することを課題とする。
【課題を解決するための手段】
【０００４】
以上の課題を解決するために、第一発明は、毛髪の根元から毛先まで均一にパーマネントウェーブが当たるよう、ボトルの様に滑らかな斜度でロッドの片方を細くした事を特徴とするパーマネント用ボトルロッドである。
また、第二発明は、ロッドの細い方に同じ太さの部分を設け、毛量の多い毛髪の根元を巻きつけ易くし、滑らかな斜度で太くなるため、毛先までだぶつかず巻きつけ易くしたことを特徴とするパーマネント用ボトルロッド。
また、第三発明は、ロッドの細い方のゴム掛け部分に反り返りを設けることにより、巻いた毛髪がロッドから外れにくいことを特徴とするパーマネント用ボトルロッド。
【発明の効果】
【０００５】
第一発明、または第二発明によれば、ロッドの細い方に同じ太さの部分を設け、滑らかな斜度をつけて太くしたことで、毛髪の根元から毛先までだぶつかず巻き易く、均一なパーマネントウェーブを当てることができる。また第三発明によれば、ロッドの細い方は巻いた毛髪が外れ易いため、ゴム掛け部分に反り返りを設けることで、それを防ぐことができる。
【発明を実施するための最良の形態】
【０００６】
この発明の一実施形態を、図１に示す。
ボトルロッドの本体１はポリプロピレン製であり、この本体１の表面には、毛髪が滑りにくいように、縦の細い溝と極小の突起物が設けられており、ロッドの太い方から細い方２の間はボトルのような滑らかな斜度３が設けられている。ロッドの細い方２は一定の同じ太さの部分があり、ロッドの細い方のゴム掛け部分４には、反り返りが設けられている。
【０００７】
「実施形態の効果」
この実施形態によれば、ロッドの太い方から細い方への滑らかな斜度３をもつため、毛髪をどこから巻いてもだぶつかず、非常に巻き易い。ロッドの細い方２には一定の同じ太さの部分を設けているため、特に毛量の多い毛髪の根元の、パーマネントウェーブが当たりにくい部分を数回巻きつけることができ、均一なパーマネントウェーブが得られる。ロッドの細い方のゴム掛け部分４には反り返りがあるため、巻きつけた毛髪がロッドから外れにくい。
【０００８】
「他の実施形態」
図１の実施形態では、ボトルロッドの本体１の太さと長さは、従来のロッドをもとに任意で考案したが、他の実施形態では、違う太さ、違う長さのものでも良い。
【図面の簡単な説明】
【０００９】
【図１】この発明の一実施形態を示す側面図である。
【図２】従来技術を示す側面図である。
【符号の説明】
【００１０】
１  ロッド本体        ２  ロッドの細い方
３  太さが変わる斜度  ４  細い方のゴムかけ部分（反り返り部分の有無）
【図１】
2005168947.tif 000003
【図２】
2005168947.tif 000004
(57)【要約】【課題】  留具を付設していない通常の市販のスリッパ及びサンダルに、外見上の美観を損なうことなく、即座に容易に着脱する中敷を提供して、汚れやすく洗いにくいスリッパ及びサンダルの本体を洗わず、この中敷を着脱して容易に洗い、スリッパ及びサンダルの内底を清潔にする。【解決手段】  １．ゴム、合成ゴム、合成樹脂、皮等の弾力性ある材質で、スリッパ及びサンダルの中敷（１）を形成する。２．その中敷（１）の、スリッパ及びサンダルの甲被カバー（５）を取着した部分の内側縁（４）に接する位置の左右側縁の一部を、スリッパ及びサンダルの内底（２）に続く甲被カバー（５）の内側面（６）に掛る形状に張り出させて形成する。【選択図】  図１
2005168968.tif 000002
【特許請求の範囲】
【請求項１】
ゴム、合成ゴム、合成樹脂、皮等の弾力性ある材質で形成するスリッパ及びサンダルの中敷（１）が、内底（２）に甲被カバー（５）を取着した部分の内側縁（４）に接する位置の一部を、内底（２）に続く甲被カバー（５）の内側面（６）に掛るように張り出させて形成した（３）、スリッパ及びサンダルの中敷。
【発明の詳細な説明】
【技術分野】
【０００１】
この発明は、通常市販されているスリッパ及びサンダルに、即座に容易に着脱できる中敷に関するものである。
【背景技術】
【０００２】
従来、汚れやすいスリッパの内底を清潔にするため、着脱自在の中敷を設けて、この中敷を洗うことが考えられているが、その着脱の方法は、中敷の裏面とスリッパの内底に一対の面ファスナーを設けて、両方を対応させて着脱する方法、また、弱粘着剤を塗布した中敷をスリッパの内底に貼着する方法、また、中敷の縦中間位置の左右側縁に伸縮帯を掛け渡して、スリッパの後半をこの伸縮帯にくぐらせて取着する方法、また、中敷の左右側縁にピンを設けて、スリッパの甲被カバーの側縁をこのピンで挟んで取着する方法があった。
【発明の開示】
【発明が解決しようとする課題】
【０００３】
従来の、中敷を面ファスナーでスリッパの内底に取着する方法は、中敷の裏面に付設した面ファスナーの一方に対応する他方の面ファスナーを、内底に付設していない通常の市販のスリッパには取着することができず、また、中敷に弱粘着剤を塗布する方法は、紙等の使い捨てにする中敷には適合するが、同じ中敷を着脱して洗う場合には、粘着力は効力を失うので適合できず、また、中敷の縦中間位置の左右側縁に伸縮帯を掛け渡して、スリッパの後半をこの伸縮帯にくぐらせて取着する方法は、伸縮帯がスリッパの外底に踏まれて非常に汚れ、中敷は、ずれたり脱落したりしやすかった。また、中敷の左右側縁にピンを設けて、スリッパの甲被カバーの左右側縁をこのピンで挟み取着する方法は、ピンで取着する手間がかかり、ピンが紛失する恐れがあり、そして外見上ピンが目障りであった。
【０００４】
本発明は、上述の欠点を除いて、内底に面ファスナーの一方を付設していない通常の市販のスリッパに、即座に容易に中敷を取着してずれたり脱落したりすることなく、外見上伸縮帯やピンが、目障りにならず、容易に着脱して頻繁に洗い、常に清潔にするスリッパ及びサンダルの中敷を提供することを目的としている。
【課題を解決するための手段】
【０００５】
上記目的を達成するために本発明の中敷は、ゴム、合成ゴム、合成樹脂、皮等の弾力性ある材質で形成するスリッパの中敷が、スリッパの甲被カバーの内側縁に接する側縁を、内底に続く甲被カバーの内側面に掛るように張り出させて形成し、中敷の弾力を利用してスリッパに取着するようにしたものである。
【発明の効果】
【０００６】
本発明は、以上説明したように構成されているので、以下に記載されるような効果を奏する。
この中敷をスリッパに取着する時は、張り出させた左右側縁を内方に湾曲させて、スリッパの甲被カバー内に挿入して、中敷をスリッパの内底に重ね載せると、張り出させた部分は、スリッパの甲被カバーの内側面に添って湾曲して密着し、その弾力の復元力が内側面を外方に軽く押圧するので、中敷は容易にずれたり脱落したりすることなく取着される。
【０００７】
そして、この中敷を外す時は、一方の手でスリッパを持ち、他方の手で中敷を踵方向に引っ張ると容易に取り外すことができる。
【０００８】
したがって、面ファスナーの一方を付設していない通常の市販のスリッパ及びサンダルに、即座にこの中敷を取着することができ、外見上の目障りがなく、容易に着脱して頻繁に洗浄し、スリッパ及びサンダルを常に清潔にすることができる。
【０００９】
また、粘着剤を塗布したり、両面粘着テープを用いてスリッパ本体に貼着する方式の中敷は、洗うと粘着力が効力を失うため繰り返し洗浄して使用することができず、使い捨てとして頻繁に捨てて、新しい中敷を取着しなければならないので、ごみを多発して公害となるが、本発明の中敷は、粘着剤等を使用していないので、頻繁に着脱して洗浄しても着脱の効力は減退せず、同じ中敷を長期間使用できるので、ごみを多発せず、公害問題に益することができる。
【００１０】
そして、不特定多数の人が集まる場所に常備されたスリッパに対しても、この中敷を携帯して取着し、また、旅行等にも携帯して、ホテルのスリッパに取着して使用することも可能であり、清潔感と安心感を得ることができる。
【発明を実施するための最良の形態】
【００１１】
発明の実施の形態を、実施例にもとづき図面を参照して説明する。
（１）は、ゴム、合成ゴム、合成樹脂、皮等弾力性ある材質で形成したスリッパの内底（２）に重ね載せる中敷で、（３）は、中敷（１）の左右側縁が、スリッパの甲被カバー（５）を取着した部分の内側縁（４）に接する位置の一部を、内底（２）に続く甲被カバー（５）の内側面（６）に掛るように張り出させた部分である。
【００１２】
この中敷（１）は、ゴム、合成ゴム、合成樹脂、皮等弾力性があり、さらに、夏用としては清涼感があり、冬用としては保温性があり、足觸りよく、洗浄にもよく耐え得る材質を用いることが好ましい。
【００１３】
そして、表面を健康増進の目的に添う形状に構成できることは勿論である。
【００１４】
文中、スリッパと記載した部分は、その使用目的や構成において、サンダルとほぼ同一であるので、スリッパとサンダルを別にしたものではなく、同一として記載している。
【図面の簡単な説明】
【００１５】
【図１】中敷の平面斜視図である。
【図２】中敷をスリッパに取着した状態を示す平面斜視図である。
【符号の説明】
【００１６】
１  中敷
２  スリッパの内底
３  中敷の左右側縁を張り出させた部分
４  スリッパの甲被カバーを取着した内側縁
５  甲被カバー
６  甲被カバーの内側面
【図１】
2005168968.tif 000003
【図２】
2005168968.tif 000004
(57)【要約】【課題】  従来のアミノ酸含有健康飲料は暗黙の了解として人間用のものであった。これを動物用として使用するには砂糖や果糖などの成分が無駄に多く、味や匂いなどからみても動物用のアミノ酸含有健康飲料としては適さなかった。  一方でアミノ酸含有健康飲料は生物的に人間と動物の体に占める水分とアミノ酸の割合が約６：４とほぼ同じことから動物にも健康面で有効であることはわかっていた。【解決手段】  天然あるいは人工的に造られたミネラルウォーターにロイシン、イソロイシン、バリンなどのアミノ酸成分やその他の健康に役立つ成分を添加し、特に動物用として、砂糖、果糖などの動物には多く与えすぎないことが望ましい成分を抑えて、味付け、匂いなどを動物用にしたアミノ酸含有健康飲料にする。【特許請求の範囲】
【請求項１】
天然または人工的に造られたミネラルウォーターに天然または人工的に造られたアミノ酸など健康に役立つ成分を添加し、味や匂い、またその他砂糖などの成分を抑えるなどして動物に適するようにした動物用飲料水または動物用健康飲料、名称アミノドッグ。
【発明の詳細な説明】
【技術分野】
【０００１】  本発明は動物の健康に役立てるための健康飲料に関する。
【背景技術】
【０００２】  従来のアミノ酸含有健康飲料はミネラルウォーターなどにアミノ酸を添加した健康飲料水だが、暗黙の了解として人間用のものとして市販されていた。【０００３】  従来には動物の健康用としてアミノ酸を添加した健康飲料はない。当然ペットショップなどで動物用として人間用が売られた例がないことからもわかる。
【発明が解決しようとする課題】
【０００４】  以上に述べた人間用のアミノ酸含有健康飲料では動物に使用するには砂糖や果糖などによる無駄な味つけ、また匂いがあり、嗅覚味覚が人間とは異なる動物には適していなかった。
とはいえ、動物も人間とおなじく体の約６０％が水分、残り約４０％がアミノ酸から構成されている以上、アミノ酸含有飲料は動物に対しても健康面に有効である。
本発明は、このような人間用アミノ酸含有健康飲料に代わって動物用としてのアミノ酸含有健康飲料を実現することを目的としたものである。
【０００５】  そして本発明は上記目的を達成するために、天然または人工的に造られたミネラルウォーターに天然または人工的に造られたアミノ酸を添加し、無駄な味や匂い、またその他砂糖や果糖などの成分を抑えるなどして、動物に適するようにしたものである。
【０００６】  天然のミネラルウォーターに含まれるミネラル元素には一般的に以下のものがあるが、本発明ではそれらのすべてまたは一部を含み、あるいはアミノ酸を添加する以外にもリンや窒素など動物用として一部のミネラル元素を人工的に多くする飲料もあり得る。
主要元素    酸素、炭素、窒素、水素
準主要元素  カルシウム、リン、イオウ、カリウム、ナトリウム、塩素、マグネシウム
微量元素    鉄、亜鉛、銅、クロム、コバルト、セレン、マンガン、モリブデン、ヨウ素
超微量元素  砒素、ホウ素、臭素、カドミウム、鉛、リチウム、ニッケル、ケイ素、錫、            バナジウム
以上のミネラル元素のすべてかあるいは一部を含むミネラルウォーターに添加するアミノ酸は以下に示す全ての成分かあるいは一部である。
アミノ酸成分    バリン、ロイシン、イソロイシン、アルギニン
またはこれらアミノ酸以外であっても動物の健康に資する成分はいかなるものも除外しない健康飲料である。